(57)【要約】【課題】１つの表示部を、ユーザが直視するモニタ、あるいは電子ビューファインダとして兼用でき、制御が単純で、操作が簡単なカメラを提供する。【解決手段】カメラが備えるＬＣＤ３０は、筒部材１１が沈胴位置にあるとき、表示面が筒部材１１の内側において撮影者側に露出する第１位置に位置する。ＬＣＤ３０は、筒部材１１が突出位置に移動するとき当該移動に連動して、第１位置よりもカメラ内部側の第２位置へと平行移動する。光学系７０は、筒部材１１の移動経路から外れた位置７０（１）に配置されていて、筒部材１１が突出位置に移動するとき当該移動に連動して、筒部材の内側へと移動して当該筒部材の突出側端部（位置７０（３））に位置する。ＬＣＤ３０は、第１位置にあるとき、ユーザーがこれを直視するモニタとして機能する。一方、第２位置にあるとき、筒部材の突出側端部に位置する光学系７０とともに電子ビューファインダを構成する。【選択図】  図５
2004274202.tif 000002
【特許請求の範囲】
【請求項１】
沈胴位置と突出位置との間を移動する筒部材と、
上記筒部材が沈胴位置にあるとき、表示面が当該筒部材の内側において撮影者側に露出する第１位置に位置するとともに、筒部材が突出位置に移動するとき当該移動に連動して、第１位置よりもカメラ内部側の第２位置へと平行移動可能な表示部と、
上記筒部材の移動経路から外れた第３位置に配置されていて、上記筒部材が突出位置に移動するとき当該移動に連動して、筒部材の内側へと移動して当該筒部材の突出側端部に位置する光学系と、を備え、
上記表示部は、第１位置にあるときには、ユーザーがこれを直視するモニタとして機能するとともに、第２位置にあるときには、筒部材の突出側端部に位置する上記光学系とともに電子ビューファインダを構成することを特徴とする、カメラ。
【請求項２】
上記光学系は、リンク機構を介して台板に連結されて光学系ユニットを構成し、
当該光学系ユニットは、ラック・ピニオン機構によって上記第３位置から筒部材の移動経路内の第４位置へと移動し、当該第４位置から上記リンク機構によって光学系が筒部材の突出側端部へと移動することを特徴とする、請求項１記載のカメラ。
【請求項３】
沈胴位置と突出位置との間を移動し、突出側端部にフレネルレンズを備えた筒部材と、
上記筒部材が沈胴位置にあるときフレネルレンズに沿うカメラ内側の第１位置に位置するとともに、筒部材が突出位置に移動するとき当該移動に連動して、第１位置よりもカメラ内部側の第２位置へと平行移動する表示部と、を備え、
上記表示部は、第１位置にあるときには、ユーザーがこれを直視するモニタとして機能するとともに、第２位置にあるときには、フレネルレンズとともに電子ビューファインダを構成することを特徴とする、カメラ。
【請求項４】
上記筒部材は、複数の筒から多段伸縮式に構成されていることを特徴とする、請求項１、２または３記載のカメラ。
【請求項５】
上記筒部材を伸縮させて、上記表示部と、上記光学系またはフレネルレンズと、の間隔を調節することで視度調節機能が達成されることを特徴とする、請求項４記載のカメラ。
【発明の詳細な説明】
【０００１】
【発明の属する技術分野】
本発明は、ファインダ表示装置を備えたカメラに関する。
【０００２】
【従来の技術】
近年、デジタルビデオカメラ等において、３〜５インチ程度の液晶表示画面を備えたものが多く知られている。例えば、特許文献１の開示によれば、カメラ本体に液晶表示装置（ＬＣＤ）が回動可能に取り付けられている。この液晶表示装置は、撮影者側に向いた状態では、撮影者がこれを直視する。一方、液晶表示装置を畳んだ状態では、カメラ本体内に設けた光学系を介して、撮影者がこれを観察する電子ビューファインダ（ＥＶＦ）を構成する。
また、特許文献２の開示によれば、ビデオカムコーダに固定される電子ビューファインダは、回転可能な液晶パネルを備えている。この液晶パネルは、その回転位置を変更することで、「撮影者が直視する表示装置」および「接眼レンズを介して観察される電子ビューファインダ」として兼用される。
【０００３】
【特許文献１】
特開平１１−２６５０２３号公報
【特許文献２】
特開平８−１３０６６５号公報
【０００４】
【発明が解決しようとする課題】
上記各従来例では、いずれも、１つのＬＣＤを利用して、これを撮影者が直視する液晶表示装置として、あるいは撮影者がファインダ光学系を介して覗き込む電子ビューファインダとして、兼用している。しかしながら、特許文献１では、当該液晶表示装置を電子ビューファインダとして機能させる場合に、液晶表示装置の位置をセンサで検出し、それに応じて画面上での表示領域を変更する等の制御が必要となる。また、特許文献１および２では、液晶パネルの位置の切換えを手動で行なう必要があって、煩わしいという問題もある。
【０００５】
【課題を解決するための手段・作用・効果】
本発明は、上記従来の問題を有効に解決するために創案されたものであり、以下の特徴を備えた、ファインダ表示装置を備えたカメラを提供する。
【０００６】
本発明のカメラは、「沈胴位置と突出位置との間を移動する筒部材」と「上記筒部材が沈胴位置にあるとき、表示面が当該筒部材の内側において撮影者側に露出する第１位置に位置するとともに、筒部材が突出位置に移動するとき当該移動に連動して、第１位置よりもカメラ内部側の第２位置へと平行移動可能な表示部」と「上記筒部材の移動経路から外れた第３位置に配置されていて、上記筒部材が突出位置に移動するとき当該移動に連動して、筒部材の内側へと移動して当該筒部材の突出側端部に位置する光学系」とを備える。上記表示部は、第１位置にあるときには、ユーザーがこれを直視するモニタとして機能するとともに、第２位置にあるときには、筒部材の突出側端部に位置する上記光学系とともに電子ビューファインダを構成する。
【０００７】
上記構成を備えた本発明のカメラでは、１枚の表示部を用いて、これを「撮影者が直視する表示装置」として、あるいは「撮影者がファインダ光学系を介して覗き込む電子ビューファインダ」として兼用することできる。しかも、表示部の位置に応じて、表示面積を変更する必要もない（特許文献１の開示では、表示面積を変更する制御を行なうことが必要であった）。
【０００８】
別の態様における本発明のカメラは、「沈胴位置と突出位置との間を移動し、突出側端部にフレネルレンズを備えた筒部材」と「上記筒部材が沈胴位置にあるときフレネルレンズに沿うカメラ内側の第１位置に位置するとともに、筒部材が突出位置に移動するとき当該移動に連動して、第１位置よりもカメラ内部側の第２位置へと平行移動する表示部」とを備える。上記表示部は、第１位置にあるときには、ユーザーがこれを直視するモニタとして機能するとともに、第２位置にあるときには、フレネルレンズとともに電子ビューファインダを構成する。
フレネルレンズは、一定距離以上離れないと光学機能を有しないので、表示部がフレネルレンズに沿う第１位置にある場合、当該フレネルレンズは単なる透明板としてしか機能せず、したがって、実質的に撮影者は表示部を直視していることとなる。
【０００９】
かかる構成を採用する場合にも、上記と同様に、１枚の表示部を、「撮影者が直視する表示装置」および「撮影者がファインダ光学系を介して覗き込む電子ビューファインダ」として兼用することできる。また、複雑な移動を行なう光学系が不要となる分だけ、機構部を簡単化できるというメリットがある。
【００１０】
【発明の実施の形態】
第１実施形態（図１〜図６）
図１は、本発明の第１実施形態に係るデジタルスチルカメラ１０の要部縦断面図を示している。カメラ１０は、多段伸縮式の鏡筒１１と、撮影光軸方向に平行移動するＬＣＤ（液晶表示部）３０と、光学系７０と、を備える。光学系７０は、後述するように、カメラ本体内において、鏡筒１１の内外へと移動する。
図１の状態では、鏡筒１１は沈胴位置にあり、ＬＣＤ３０は、その表示面が鏡筒１１の内側において撮影者側へと露出している（第１位置）。また、光学系７０は、カメラ本体内において、ＬＣＤ３０の下方側に位置している（第３位置）。このとき、ＬＣＤ３０は、これを撮影者が直視するモニタとして機能する。
【００１１】
図２は、図１の状態から鏡筒１１が伸張した状態を示しており、光学系７０が鏡筒１１の突出側端部（最も撮影者側の端部）に位置している。このとき、ＬＣＤ３０は、鏡筒１１の伸張動作と連動して、上記第１位置から被写体側（撮影光学系１５に近い側）に向かって、光学系７０から離れる方向に平行移動している（第２位置）。
図２の状態では、ＬＣＤ３０は、光学系７０とともに電子ビューファインダとして機能する。例えば、高倍率ズームで、カメラをしっかりホールディングしながら撮影する場合には、電子ビューファンダが利用される。
なお、図２においては、ＬＣＤ３０と光学系７０が互いに遠ざかることにより、長い光学長を確保している。この光学長によってファインダの見え角が変化する。すなわち、ＬＣＤと光学系とが近づく程に画角が広くなり（見え角が大きくなる）、両者が遠ざかる程に画角は狭くなる（見え角が小さくなる）。
【００１２】
図３は、図２の状態におけるカメラ背面図を示しており、鏡筒１１の中央に光学系７０が見える。なお、カメラ１０は、視度調節機能も備えていて、鏡筒１１を伸縮させて、ＬＣＤ３０と光学系７０との間隔を調整することで、撮影者毎の視度に対応することができる。
【００１３】
以上の説明から分かるように、カメラ１０においては、１枚のＬＣＤ３０が、これを撮影者が直視するモニタとして（図１）、あるいは撮影者がファインダ光学系を介して覗き込む電子ビューファインダとして（図２）、兼用されている。そして、図１および図２間の移行過程において、ＬＣＤ３０および光学系７０がカメラ内部で移動する。これらの移動機構について、以下に説明する。
【００１４】
ＬＣＤ３０の移動機構（図４）
表示部は、平行に配置された２本のアームからなる平行リンク機構によって駆動される。アーム５１および５５は、それぞれ、一端５２および５６を中心として回動可能に設けられていて、他端５３および５７は、ＬＣＤ３０に連結されている。両アーム５１、５５が平行状態で回動することにより、ＬＣＤ３０は、図４において左右方向（撮影光軸方向）に移動する。破線で示した位置が第１位置で、実線で示した位置が第２位置である。
【００１５】
光学系の移動機構（図５および図６）
図５は、光学系ユニット７０がとり得る３つの位置７０（１）、７０（２）、７０（３）を示している。位置７０（１）は、図１に示した第３位置である。ここから、鏡筒１１が伸張して、ＬＣＤ３０が第１位置から第２位置へと移動すると、これに連動して、光学系ユニット７０は、鏡筒１１の移動経路内の位置７０（２）へと移動する（第４位置）。光学系ユニット７０は、その後さらに、撮影光軸と平行に鏡筒１１の突出端へと移動する（位置７０（３））。
【００１６】
図５では光学系ユニット７０を簡略化して示しているが、図６にその詳細構造を示している。光学系ユニット７０においては、台板７１に設けた４本のアーム７２〜７５で構成されるリンク機構が枠体７８を保持しており、この枠体７８にレンズ７９が固定されている。図６（ａ）はリンク機構が畳まれた状態を示しており、図６（ｂ）はリンク機構が開いた状態を示している。
光学系ユニット７０は、図５中の第３位置７０（１）にあるときは、図６（ａ）に示したようにリンク機構が畳まれている。そして、不図示のラック・ピニオン機構によって、第３位置７０（１）から上方の第４位置７０（２）へと移動する。当該ラック・ピニオン機構は、光学系ユニット７０が鏡筒１１の移動経路内の第４位置７０（２）に達したときに、ラックとピニオンとの係合が外れるように構成されている。
光学系ユニット７０が第４位置７０（２）に達するとリンク機構７２〜７５が開き、これにより、レンズ７９を保持する枠体７８は、撮影者側位置へと移動して、鏡筒１１の先端に不図示の保持機構によって固定される。その後、伸張する鏡胴とともに、光学系ユニット７０の全体が撮影者側へとさらに移動して、図２の状態となる。
【００１７】
第２実施形態（図７〜図９）
図７は、本発明の第２実施形態に係るデジタルスチルカメラ１１０の要部縦断面図を示している。カメラ１１０は、突出側端部にフレネルレンズ１１２が固定された鏡筒１１１と、撮影光軸方向に平行移動するＬＣＤ（液晶表示部）１３０と、を備える。
第２実施形態のカメラ１１０においては、鏡筒１１１の長さは変化しないが、第１実施形態の場合と同様に、多段伸縮式の鏡筒を採用してもよい。逆に、第１実施形態において、長さの変化しない鏡筒を採用することも可能である。
【００１８】
図７の状態では、鏡筒１１１は沈胴位置にあり、ＬＣＤ１３０は、鏡筒１１１内においてフレネルレンズ１１２に沿ってカメラ内側に位置している（第１位置）。フレネルレンズは、一定距離以上離れないと光学機能を有しないので、ＬＣＤ１３０が第１位置にあるとき、フレネルレンズ１１２は透明なアクリル板としてしか機能せず、したがって、実質上、ＬＣＤ１３０は、撮影者がこれを直視する画像モニタとして機能する。
【００１９】
図８は、図７の状態から鏡筒１１１が完全に突出した状態を示している。このとき、ＬＣＤ１３０は、鏡筒１１１の突出動作と連動して、上記第１位置から被写体側（撮影光学系１５に近い側）に向かって、フレネルレンズ１１２から離れる方向に平行移動している（第２位置）。図８の状態では、ＬＣＤ１３０は、フレネルレンズ１１２とともに電子ビューファインダとして機能する。
【００２０】
図９は、図８の状態におけるカメラ背面図を示しており、鏡筒１１１の中央にフレネルレンズ１１２が見える。なお、第２実施形態のカメラ１１０も、第１実施形態の場合と同様に、視度調節機能を備えていることが好ましい。
【００２１】
ブロック図（ＬＣＤを２つ採用する場合と、１つのＬＣＤを切換使用する場合の比較）
本発明においては、１つのＬＣＤを、その位置を切り換えることで、「電子ビューファインダを構成するＬＣＤ（ＥＶＦ−ＬＣＤ）」および「撮影者が直視するモニタとして使用するＬＣＤ（背面ＬＣＤ）」として兼用している。これによるメリットを図１０および図１１を参照して説明する。
図１０は、上記２つのＬＣＤとして、それぞれ専用のものを別々に使用する場合（すなわち、ＬＣＤが２つ存在する場合）におけるカメラのブロック図を示している。一方、図１１は、本発明のように、１つのＬＣＤを兼用して使用する場合を示している。
図１０の場合では、ＥＶＦ−ＬＣＤおよび背面ＬＣＤを電気的に切り換えて表示しているので、表示ＩＣは切換え機能を備えたものが必要となる。これに対して、図１１に示したように、本発明では、１つのＬＣＤを兼用しているので、表示ＩＣに切換え機能は不要となる。したがって、制御回路を単純化することができる。
【００２２】
以上に説明した実施形態では、表示部としてＬＣＤ（液晶表示装置）を採用しているが、例えば、エレクトロルミネッセンスを利用する表示部や、その他の表示部を採用することも可能である。本発明において、表示部の具体的構成が特定のものに限定されるものではない。
【図面の簡単な説明】
【図１】本発明の第１実施形態に係るカメラの要部縦断面図である。
【図２】図１の状態から鏡筒が伸張した場合を示す要部縦断面図である。
【図３】図２の状態に対応するカメラの背面図である。
【図４】図１のカメラにおいてＬＣＤを平行移動させるリンク機構の説明図である。
【図５】図１のカメラ内における光学系ユニットの移動を示す説明図である。
【図６】光学系ユニットの詳細図である。
【図７】本発明の第２実施形態に係るカメラの要部縦断面図である。
【図８】図７の状態から鏡筒が突出した場合を示す要部縦断面図である。
【図９】図８の状態に対応するカメラの背面図である。
【図１０】ＬＣＤを２つ備えるカメラにおける機能ブロック図である。
【図１１】１つのＬＣＤをその位置を切り換えて使用するカメラにおける機能ブロック図である。
【符号の説明】
１０、１１０  デジタルスチルカメラ
１１、１１１  鏡筒
１５  撮影光学系
１６  ＣＣＤ
１７  メモリーカード
３０、１３０  ＬＣＤ
５１、５５  アーム（リンク機構）
７０  光学系ユニット
７１  台板
７２、７３、７４、７５  アーム（リンク機構）
７８  枠体
７９  レンズ
１１２  フレネルレンズ
【図１】
2004274202.tif 000003
【図２】
2004274202.tif 000004
【図３】
2004274202.tif 000005
【図４】
2004274202.tif 000006
【図５】
2004274202.tif 000007
【図６】
2004274202.tif 000008
【図７】
2004274202.tif 000009
【図８】
2004274202.tif 000010
【図９】
2004274202.tif 000011
【図１０】
2004274202.tif 000012
【図１１】
2004274202.tif 000013